(57)【特許請求の範囲】
【請求項１】
移動光源からの光を遮光可能な遮光装置であって、
板面が対向する状態で並列配置され、透光可能な複数の開孔部を有する複数の遮光板材と、
複数の前記遮光板材を、隣り合う前記遮光板材の間に光通過領域を有する状態で支持する位置保持部材と、を備え、
隣り合う前記遮光板材における前記開孔部の開孔パターンを異ならせてあり、
前記移動光源に近い側に配置される第一遮光板材と前記移動光源から遠い側に配置される第二遮光板材とによって構成され、
前記開孔パターンは、複数サイズの前記開孔部の組合せによって構成され、
前記第一遮光板材における最大サイズの前記開孔部は、前記第二遮光板材における最大サイズの前記開孔部を視点基準として前記第一遮光板材上に投影される前記移動光源の移動領域を除外した領域に設定されている遮光装置。
【請求項２】
移動光源からの光を遮光可能な遮光装置であって、
板面が対向する状態で並列配置され、透光可能な複数の開孔部を有する複数の遮光板材と、
複数の前記遮光板材を、隣り合う前記遮光板材の間に光通過領域を有する状態で支持する位置保持部材と、を備え、
隣り合う前記遮光板材における前記開孔部の開孔パターンを異ならせてあり、
前記移動光源に近い側に配置される第一遮光板材と前記移動光源から遠い側に配置される第二遮光板材とによって構成され、
前記開孔パターンは、複数サイズの前記開孔部の組合せによって構成され、
前記第一遮光板材における最大サイズの前記開孔部は、前記第二遮光板材における最大サイズの前記開孔部を視点基準として前記第一遮光板材上に投影される前記移動光源の移動領域内に設定されている遮光装置。
【請求項３】
移動光源からの光を遮光可能な遮光装置を備えた建物であって、
前記遮光装置は、
板面が対向する状態で並列配置され、透光可能な複数の開孔部を有する複数の遮光板材と、
複数の前記遮光板材を、隣り合う前記遮光板材の間に光通過領域を有する状態で支持する位置保持部材と、を備え、
隣り合う前記遮光板材における前記開孔部の開孔パターンを異ならせてあり、
前記遮光装置は、前記移動光源としての太陽の光を遮光可能なように、前記遮光板材が縦向き姿勢となる状態で建物外壁における開口部の外側に配置され、
前記遮光装置と前記建物外壁との間の空間は、上下に開放されており、
前記遮光装置は、前記遮光装置の中心と前記開口部の中心との水平距離が前記光通過領域の水平幅以上となる状態で、かつ、前記遮光装置の下端高さが、建物外部において地上レベルに存する人間の視線以上となる状態で、かつ、前記遮光装置の下端高さが、前記開口部の下端よりも高い状態で、かつ、前記移動光源から前記開口部へ向かう光のうちの少なくとも一部を遮光可能な状態で設置され、
前記遮光装置は、前記視線よりも高い位置にのみ設けられている建物。
【請求項４】
前記遮光装置は、前記移動光源に近い側に配置される第一遮光板材と前記移動光源から遠い側に配置される第二遮光板材とによって構成され、
前記開孔パターンは、複数サイズの前記開孔部の組合せによって構成され、
前記第一遮光板材における最大サイズの前記開孔部のレイアウトは、前記第二遮光板材における最大サイズの前記開孔部を視点基準として前記第一遮光板材上に投影される前記移動光源の移動領域と関連付けられている請求項３に記載の建物。
【請求項５】
前記遮光装置の面サイズと前記水平距離と前記下端高さとは、前記開口部の特定位置を視点基準として、前記遮光装置の存在範囲が、特定時季における特定時間帯の太陽の移動領域と重複するように決定されている請求項３または４に記載の建物。
【発明の詳細な説明】
【技術分野】
【０００１】
本発明は、移動光源（例えば、太陽のように時間や季節によって位置が変わる光源）からの光を遮光可能な遮光装置と、そのような遮光装置を備えた建物と、を対象にした遮光技術に関する。
【背景技術】
【０００２】
従来、この種の遮光技術としては、複数の開孔部を規則的なパターンで設けた二枚の遮光板材を、板面に沿ってスライドできる状態で重ね合わせた遮光ブラインドがあった（例えば、特許文献１参照）。
この遮光ブラインドは、遮光板材どうしを相対的にスライドさせることで、両遮光板材に備えた開孔部どうしが同じ位置に重なって光を透過する透過状態と、開孔部どうしが位置ずれして遮光する遮光状態と、に切り替えることができるように構成されている。
【先行技術文献】
【特許文献】
【０００３】
【特許文献１】特開平１０−２６６７３２号公報（図５、図６）
【発明の概要】
【発明が解決しようとする課題】
【０００４】
上述した従来の遮光技術によれば、透過状態と遮光状態とを切り換えるのに、遮光板材どうしを相対的にスライドさせる操作機構が必要であると共に、スライド操作を行う人為的な手間が掛かる。
また、透過状態に切り換えたら、全ての開孔部を通して光が満遍なく透過し、床や壁等の照射対象部への照射範囲が移動光源の移動に伴って移動するだけで、その照射状況は、変化が乏しく、画一的なものになる問題がある。
【０００５】
従って、本発明の目的は、上記問題点を解消し、特別な操作機構を設けたり人為的な手間を掛けなくても、光の透過に変化のある遮光技術を提供するところにある。
【課題を解決するための手段】
【０００６】
本発明の特徴は、移動光源からの光を遮光可能な遮光装置であって、
板面が対向する状態で並列配置され、透光可能な複数の開孔部を有する複数の遮光板材と、
複数の前記遮光板材を、隣り合う前記遮光板材の間に光通過領域を有する状態で支持する位置保持部材と、を備え、
隣り合う前記遮光板材における前記開孔部の開孔パターンを異ならせてあり、
前記移動光源に近い側に配置される第一遮光板材と前記移動光源から遠い側に配置される第二遮光板材とによって構成され、
前記開孔パターンは、複数サイズの前記開孔部の組合せによって構成され、
前記第一遮光板材における最大サイズの前記開孔部は、前記第二遮光板材における最大サイズの前記開孔部を視点基準として前記第一遮光板材上に投影される前記移動光源の移動領域を除外した領域に設定されているところにある。
【０００７】
本発明によれば、複数の開孔部が備えられた遮光板材どうしは、光通過領域を挟んだ両側に位置する状態に位置保持部材で支持されているから、一方の遮光板材の開孔部から光通過領域に透過した光は、その光線軸上を進み、他方の遮光板材に達する。そして、その部分に他方の遮光板材の開孔部が存在すれば、光は、その開孔部を通して透過する（透過状態）。また、光通過領域における光線軸上に他方の遮光板材の開孔部が存在しなければ、光は、他方の遮光板材によって遮られる（遮光状態）。
【０００８】
そして、隣り合う遮光板材どうしは、開孔パターンを異ならせてあるから、両遮光板材の開孔部どうしの関係が、従来のように、前記透過状態と遮光状態との何れか一方に統一された画一的なものではなくなる。即ち、両遮光板材の開孔部どうしの関係は、前記透過状態と遮光状態との両方が混在した状態となり、その結果、前記照射対象部への照射状況（又は遮光状況）が画一的なものではなくなる。
【０００９】
更には、移動光源の移動によって光線の照射方向が変化するのに伴って、両遮光板材の各開孔部どうしには、前記透過状態（又は、前記遮光状態）を維持するものもあれば、前記透過状態から前記遮光状態へ、又は、前記遮光状態から前記透過状態へと刻々と変化するものも存在する。従って、前記照射対象部への照射状況（又は遮光状況）は、より変化に富んだものとなり、例えば、木洩れ日のように自然に近い描写となり得る。
【００１０】
また、上述した各作用効果は、従来のような遮光板材どうしをスライドさせる特別な機構を設けたり、その機構を人為的に操作する手間を掛けずに実現することができ、遮光装置としての経済性や維持管理性の向上を果たすことができる。
また、本発明の別の特徴は、移動光源からの光を遮光可能な遮光装置であって、
板面が対向する状態で並列配置され、透光可能な複数の開孔部を有する複数の遮光板材と、
複数の前記遮光板材を、隣り合う前記遮光板材の間に光通過領域を有する状態で支持する位置保持部材と、を備え、
隣り合う前記遮光板材における前記開孔部の開孔パターンを異ならせてあり、
前記移動光源に近い側に配置される第一遮光板材と前記移動光源から遠い側に配置される第二遮光板材とによって構成され、
前記開孔パターンは、複数サイズの前記開孔部の組合せによって構成され、
前記第一遮光板材における最大サイズの前記開孔部は、前記第二遮光板材における最大サイズの前記開孔部を視点基準として前記第一遮光板材上に投影される前記移動光源の移動領域内に設定されているところにある。
【００１１】
【００１２】
【００１３】
【００１４】
【００１５】
【００１６】
【００１７】
【００１８】
また、本発明の別の特徴は、移動光源からの光を遮光可能な遮光装置を備えた建物であって、
前記遮光装置は、
板面が対向する状態で並列配置され、透光可能な複数の開孔部を有する複数の遮光板材と、
複数の前記遮光板材を、隣り合う前記遮光板材の間に光通過領域を有する状態で支持する位置保持部材と、を備え、
隣り合う前記遮光板材における前記開孔部の開孔パターンを異ならせてあり、
前記遮光装置は、前記移動光源としての太陽の光を遮光可能なように、前記遮光板材が縦向き姿勢となる状態で建物外壁における開口部の外側に配置され、
前記遮光装置と前記建物外壁との間の空間は、上下に開放されており、
前記遮光装置は、前記遮光装置の中心と前記開口部の中心との水平距離が前記光通過領域の水平幅以上となる状態で、かつ、前記遮光装置の下端高さが、建物外部において地上レベルに存する人間の視線以上となる状態で、かつ、前記遮光装置の下端高さが、前記開口部の下端よりも高い状態で、かつ、前記移動光源から前記開口部へ向かう光のうちの少なくとも一部を遮光可能な状態で設置され、
前記遮光装置は、前記視線よりも高い位置にのみ設けられているところにある。
【００１９】
本構成によれば、建物外壁における開口部の外側に、遮光装置を縦向き姿勢となる状態で設けてあるから、遮光装置によって太陽の光を遮光して、室内への照射状態の緩和を図ることができる。
尚、遮光板材の縦向き姿勢とは、鉛直のみならず、ほぼ鉛直を含んでいる。
【００２０】
また、遮光装置と開口部との水平距離を、前記光通過領域の水平幅以上に設定してあるから、開口部と遮光装置との間に開放的な空間を確保でき、室内側から外部を見上げた時に、空間的な広がりを感じさせることが可能となる。
【００２１】
また、遮光装置の下端高さを、建物外部において地上レベルに存する人間の視線以上に設定してあるから、前記遮光装置によって室内外方向での視線が遮られることを防止でき、この点に関しても室内空間としての広がりを感じさせることができる。
特に、開口部に面する室内空間を、外部から見易くする必要がある空間（例えば、ショールーム）として使用するような場合には、上述した「遮光装置による太陽光の遮光を図れる」、「室内空間としての広がり感を出せる」といった効果に加えて、展示品を外部から容易に視認できるようにすることが可能となる。
本発明においては、前記遮光装置は、前記移動光源に近い側に配置される第一遮光板材と前記移動光源から遠い側に配置される第二遮光板材とによって構成され、
前記開孔パターンは、複数サイズの前記開孔部の組合せによって構成され、
前記第一遮光板材における最大サイズの前記開孔部のレイアウトは、前記第二遮光板材における最大サイズの前記開孔部を視点基準として前記第一遮光板材上に投影される前記移動光源の移動領域と関連付けられていると好適である。
【００２２】
本発明においては、前記遮光装置の面サイズと前記水平距離と前記下端高さとは、前記開口部の特定位置を視点基準として、前記遮光装置の存在範囲が、特定時季における特定時間帯の太陽の移動領域と重複するように決定されていると好適である。
【００２３】
本構成によれば、遮光装置の存在範囲が、開口部の特定位置を視点基準として、特定時季における特定時間帯の太陽の移動領域と重複するように決定されていることで、特定時季における特定時間帯の太陽光を、遮光装置によって遮ることができるようになる。
従って、例えば、気温の高い夏場（特定時季の一例）で特に日差しがきつくなる時間帯（特定時間帯の一例）に開口部に向かう日射を遮光装置で遮光することができ、建物としての空調負荷の低減を図り、化石燃料の使用量や地球温暖化ガスの発生率の低減に寄与することが可能となる。
また、上述のような作用効果を発揮できる遮光装置の設計を、遮光装置の面サイズと前記水平距離と前記下端高さとをもとにして実施でき、敷地の大きさや形状、建物の大きさや配置等の環境条件に合わせて最適な遮光計画を行えるようになる。
【図面の簡単な説明】
【００２４】
【図１】遮光装置の設置状況を示す建物断面図である。
【図２】外側パンチングメタルの建物外壁側の面を示す説明図である。
【図３】内側パンチングメタルの建物外壁側の面を示す説明図である。
【図４】外側パンチングメタルにおける太陽の移動領域を示す説明斜視図である。
【図５】季節と時間と太陽の位置とを示す図である。
【図６】遮光装置の配置に関する説明斜視図である。
【発明を実施するための形態】
【００２５】
以下に本発明の実施の形態を図面に基づいて説明する。
【００２６】
図１は、本発明の遮光装置を備えた建物の一実施形態を示すもので、当該建物Ｔは、例えば、車両を展示するショールームとして構成されている。
【００２７】
建物Ｔには、車両を展示する展示室１が設けてある。
展示室１の建物外壁２のうち、西面の建物外壁２には、大きく開口したガラス壁（開口部の一例）３が設けてあり、建物外部からでも、ガラス壁３を通して展示室１の内部を透視できるように構成されている。
【００２８】
また建物Ｔには、板状の遮光装置４を、縦向き姿勢にして、展示室１のガラス壁３の西側に間隔をあけた状態で設置してあり、この遮光装置４によって午後の太陽光を遮ることによって、ガラス壁３を通した展示室１への日射制限を行っている。
【００２９】
遮光装置４は、建物Ｔに対して片持ち状態に支持されており、遮光装置４と建物外壁２との間には、充分な間隔寸法があけられている。ここでいう充分な間隔寸法（遮光装置４の中心とガラス壁３の中心との水平距離に相当）Ｄとは、遮光装置４と建物外壁２との間の地面上に、車両の屋外展示スペース５を確保できる程度の寸法を指している。具体的には、３〜５ｍ程度である。
【００３０】
また、遮光装置４と建物外壁２との間の空間Ｖは、上下に貫通させてあり、直上に位置する太陽からの光が、屋外展示スペース５に照射されるように構成されている。更には、前記空間Ｖが上下に貫通させてあることで、展示室１内から、ガラス壁３を通して上方を見上げた時に、空を見ることができ、空間の連続性を感じることができる。
【００３１】
また、遮光装置４は、その下端高さＨが、地上レベルに存する人間の視線高さｈ以上となる状態で設置されており、外部から展示室１に向けた視線や、展示室１から外部に向けた視線を、遮光装置４で遮らないように考慮されている。
従って、ショールームとしての視認効果を発揮できると共に、空間の広がりを感じることができる。
【００３２】
尚、遮光装置４の面サイズや前記間隔寸法Ｄや前記下端高さＨは、図６に示すように、ガラス壁３の特定位置Ｘ（例えば、ガラス壁３の開口中心位置）を視点基準として、遮光装置４の存在範囲が、例えば、夏場（特定時季の一例）における１４〜１９時（特定時間帯の一例）の太陽の移動領域と重複するように決定されている。
つまり、夏場の最も暑い時間帯から夕方までの間、展示室１の所定範囲１Ａに強い太陽光が照射されるのを防止できるように遮光装置４の設計値が設定されている。
【００３３】
次に、遮光装置４の詳細について説明する。
遮光装置４は、二枚のパンチングメタル（遮光板材に相当）６を、板面どうしが対向する状態にしてフレーム部材（位置保持部材に相当）７に取り付けられている。建物外壁２から遠い側に位置するものを外側パンチングメタル（第１遮光板材に相当）６Ａといい、建物外壁２に近い側に位置するものを内側パンチングメタル（第２遮光板材に相当）６Ｂという。
フレーム部材７は、例えば、Ｈ形鋼等の形鋼で構成してあり、建物Ｔに支持されている。尚、フレーム部材７は、支柱を設けて、自立状態に構成してあってもよい。
【００３４】
二枚のパンチングメタル６どうしの間は、光が通過自在な光通過領域６Ｃとして上下ともに開口した空洞に形成してある。光通過領域６Ｃの水平幅ｄと、前記間隔寸法Ｄとの関係は、間隔寸法Ｄが光通過領域６Ｃの水平幅ｄ以上となるように設定してあり、水平幅ｄは、間隔寸法Ｄより充分小さな値である。
光通過領域６Ｃにおいては、パンチングメタル６の開孔部（図２、図３参照）８以外にも、上下の開口からも光が進入することができる。また、上下の開口を通して空気や風が流通できるから、光通過領域６Ｃに熱がこもり難い。
【００３５】
二枚のパンチングメタル６には、図２、図３に示すように、それぞれ透光可能な複数の開孔部８が形成されている。当該実施形態においては、孔径の異なる４種類の開孔部８が設けられている。
各開孔部８の説明を行う上で、便宜上、孔径の小さい方から順に、小開孔部８Ａａ，８Ｂａ、中開孔部８Ａｂ，８Ｂｂ、大開孔部８Ａｃ，８Ｂｃ、特大開孔部（最大サイズの開孔部に相当）８Ａｄ，８Ｂｄと呼ぶ。
【００３６】
特大開孔部８Ａｄ，８Ｂｄを除く他の小開孔部８Ａａ，８Ｂａ、中開孔部８Ａｂ，８Ｂｂ、大開孔部８Ａｃ，８Ｂｃは、規則性を備えた配置で設けてあり、これらは、二枚のパンチングメタル６の何れにも同じ配置で設けられている。
特大開孔部８Ａｄ，８Ｂｄに関しては、二枚のパンチングメタル６の何れにもランダムな配置で設けられている。特に、視認性の高い特大開孔部８ｄを、ランダムな配置にすることで、遮光装置４の表面意匠が画一的になるのを防止して、美観性の向上が図られている。
【００３７】
このように、全ての開孔部８を含めた開孔パターンは、外側パンチングメタル６Ａと、内側パンチングメタル６Ｂとでは異なっている。
【００３８】
以上のように、二枚のパンチングメタル６相互に設けた開孔部８の孔径や配置を異ならせてあることで、外側パンチングメタル６Ａの開孔部８から光通過領域６Ｃに入射した太陽光は、大半は内側パンチングメタル６Ｂによって遮られるものの、一部は、何れかの開孔部８を貫通して建物外壁２側に透過する。
【００３９】
透過した光は、ガラス壁３を通して展示室１に達するが、床に照射される光の模様は、画一的なものではなく、木洩れ日のごとくランダムなものとなる。更には、図５に示すように、太陽の高度や方位が、季節や時間によって変化するから、それに伴って、二枚のパンチングメタル６における光を透過させる開孔部８相互の組み合わせも変化し、さらに変化に富んだ光の模様を演出することができる。
【００４０】
但し、本実施形態の遮光装置４においては、特大開孔部８Ａｄ，８Ｂｄの配置に関して、ルールを設定し、その条件下においては、両パンチングメタル６Ａ，６Ｂの特大開孔部８Ａｄ，８Ｂｄどうしを光が透過しないようにしてある。
つまり、展示室１の床に照射される光は、開孔部８の孔径が大きいほど広い領域を照らすことになり、それに伴って、室温の上昇につながる。従って、温度上昇が空調負荷の増大の原因となる夏場の午後においては、両パンチングメタル６Ａ，６Ｂの特大開孔部８Ａｄ，８Ｂｄどうしを光が透過しないように遮光することが好ましい。
【００４１】
上述の特大開孔部８Ａｄ，８Ｂｄの配置に関するルールは、
「外側パンチングメタル６Ａにおける特大開孔部８Ａｄの配置を決める時は、内側パンチングメタル６Ｂにおける特大開孔部８Ｂｄを視点基準として、外側パンチングメタル６Ａ上に投影される太陽の移動領域Ｒを除外した領域に設定する。」というものである。
そして、太陽の移動領域Ｒの設定は、図５に示す太陽の高度や方位の関係から、４月１日〜９月１４日における１４〜１９時の間に絞ってある。
【００４２】
図４は、外側パンチングメタル６Ａの建物外壁２側の面を示しており、図中のハッチング部分が上述の期間の太陽の移動領域Ｒを模式的に示している。そして、具体的には、外側パンチングメタル６Ａにおいて特大開孔部８ｄを形成してはいけない領域Ｕは、前記太陽の移動領域Ｒに、内側パンチングメタル６Ｂにおける特大開孔部８ｄの半径ｒ分を拡張した領域としている。
【００４３】
以上のルールを、両パンチングメタル６Ａ，６Ｂの全ての特大開孔部８Ａｄ，８Ｂｄの関係に当てはめて、図２、図３に示すように各特大開孔部８ｄの配置が決定されている。
尚、図２は、外側パンチングメタル６Ａの建物外壁２側の面を示しており、図中の実線の円は、各開口部８Ａａ，８Ａｂ，８Ａｃ，８Ａｄを示し、破線の円は、内側パンチングメタル６Ｂの特大開孔部８Ｂｄの対応位置を示している。また、図３は、内側パンチングメタル６Ｂの建物外壁２側の面を示しており、図中の実線の円は、各開口部８Ｂａ，８Ｂｂ，８Ｂｃ，８Ｂｄを示している。
【００４４】
当該実施形態の建物Ｔによれば、遮光装置４によって夏場の強い日差しを遮光できながら、一部の開孔部８を通して漏れる光で、木洩れ日のような状況を再現できる（図６参照）。よって、西向きのショールームであるにもかかわらず、ブラインド等を設ける必要が無く、ガラス壁３を開放したままで、外部からでも室内の展示状況を確認できる心地よい展示スペースを提供することができる。
また、遮光装置４そのものに駆動装置を必要としないことと、室内の空調負荷の低減を図れることによる省エネルギー効果をも期待することができる。
【００４５】
〔別実施形態〕
以下に他の実施の形態を説明する。
【００４６】
〈１〉  建物は、先の実施形態で説明した車両を展示するショールームに限るものではなく、例えば、他の物品や建物そのものを展示するものであったり、又は、住宅や事務所や学校や病院、その他の建築物であってもよい。
住宅に遮光装置４を設けるような場合、例えば、バルコニーの垂れ壁として遮光装置を設けることが可能である。
【００４７】
また、遮光装置４と建物本体との関係も、先の実施形態のように建物Ｔから片持ち状態に張り出して支持されるものに限らず、例えば、建物本体とは別体として遮光装置４が設けてあるものであってもよい。
また、遮光装置４は、平面視において、建物外壁２と平行又はほぼ平行に設けられることに限らず、例えば、建物外壁２と角度をもった配置に設けられていてもよい。この場合、デザイン的な効果や、変則的な敷地形状でも遮光を達成できる効果を期待できる。
【００４８】
また、遮光装置４は、建物Ｔに備えられる場合、鉛直姿勢に配置されることに限らず、例えば、水平側に傾斜した姿勢に設けてあってもよい。
また、遮光装置４の遮光板材６どうしの間の空間や、遮光装置４と建物外壁２との間の空間Ｖに、照明装置を設置してあれば、日中は遮光を図りながら、夜間においては、照明光が、各開孔部８を通して外部に透過することによる美観性の向上を図ることができる。
尚、遮光装置４そのものは、建物Ｔ以外で使用することも可能である。
【００４９】
〈２〉  遮光板材６は、先の実施形態で説明した２枚を、平行に配置して構成したものに限らず、例えば、多少の角度をつけて並設してあってもよい。
また、遮光板材６は２枚による構成に限らず、３枚以上の複数枚による構成であってもよい。また、全ての遮光板材６が同じ寸法に形成してあることに限らず、遮光ゾーンの位置や、遮光目的に応じて、異なった寸法の遮光板材６を組み合わせて遮光装置４を構成してもよい。
【００５０】
また、開孔部８の種類は、先の実施形態で説明した４種類の組み合わせに限るものではなく、１〜３種類、又は、５以上の複数種類の開孔部８を備えていてもよい。
また、隣り合う遮光板材６どうしの開口パターンを異ならせる構成は、例えば、同じ配列に開孔部８を設けたものを、遮光板材６の面に沿ってずらすことで正面視における開口パターンが異なるように構成してあってもよい。
【００５１】
〈３〉  最大サイズの開孔部８のレイアウトルールは、先の実施形態で説明したように「外側パンチングメタル６Ａにおける特大開孔部８ｄの配置を決める時は、内側パンチングメタル６Ｂにおける特大開孔部８ｄを視点基準として、外側パンチングメタル６Ａ上に投影される太陽の移動領域Ｒを除外した領域に設定する。」というものに限らず、
例えば、「外側パンチングメタル６Ａにおける特大開孔部８ｄの配置を決める時は、内側パンチングメタル６Ｂにおける特大開孔部８ｄを視点基準として、外側パンチングメタル６Ａ上に投影される太陽の移動領域Ｒ内に設定する。」というものであってもよい。
この場合、対応する両特大開孔部８Ａｄ，８Ｂｄを通して光を透過させることができ、例えば、冬場の寒い時に、太陽光を取入れて空調負荷の低減を図ることが可能となる。
【００５２】
また、太陽の移動領域Ｒの設定については、先の時季や時間帯に限るものではなく、適宜、変更することができる。
更には、太陽の移動領域の設定と、特大開孔部８のレイアウトルールとの組み合わせによって、例えば、「外側パンチングメタル６Ａにおける特大開孔部８Ａｄの配置を決める時は、内側パンチングメタル６Ｂにおける特大開孔部８Ｂｄを視点基準として、外側パンチングメタル６Ａ上に投影される夏場の特定時間帯の太陽の移動領域を除外した領域で、且つ、外側パンチングメタル６Ａ上に投影される冬場の特定時間帯の太陽の移動領域内に設定する。」というレイアウトルールを採用してもよい。この場合、夏場においては、特大開孔部８Ａｄを通した透過光は遮光しながら、冬場においては、透過させることができる。その結果、一年を通じて空調負荷の低減を図ることが可能となり、化石燃料の使用量や地球温暖化ガスの発生率を、より低減させることが可能となる。
【００５３】
尚、上述の各レイアウトルールの対象とする両パンチングメタル（遮光板材）６Ａ，６Ｂそれぞれの開孔部８は、先の実施形態で説明した特大開孔部（最大サイズの開孔部）８Ａｄ，８Ｂｄのみに限らず、各パンチングメタル（遮光板材）６Ａ，６Ｂとも、任意の大きさの開孔部８を選択的に組み合わせることができる。
また、各パンチングメタル６Ａ，６Ｂにそれぞれ形成された開孔部８の一部のものどうしの組み合わせ以外にも、全ての開孔部８どうしの組み合わせによるレイアウトルールであってもよい。
また、外側パンチングメタル６Ａの特大開孔部８Ａｄと、内側パンチングメタル６Ｂの特大開孔部８Ｂｄとは、同径でなくてもよい。この関係は、他の開孔部８Ａａ，８Ｂａ，８Ａｂ，８Ｂｂ，８Ａｃ，８Ｂｃに関しても同様である。
【００５４】
〈４〉  遮光装置４は、太陽以外の移動光源にも対応することができ、例えば、工場等の生産施設や、撮影所等において使用される移動光源にも対応させることができる。
【００５５】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【産業上の利用可能性】
【００５６】
当該遮光装置、及び、遮光装置を備えた建物は、西向き開口部を備えた構成に替えて、他の方位を向いた開口部を備えたものにも利用することができる。
【符号の説明】
【００５７】
２      建物外壁
３      ガラス壁（開口部の一例）
４      遮光装置
６      パンチングメタル（遮光板材に相当）
６Ａ    外側パンチングメタル（第１遮光板材に相当）
６Ｂ    内側パンチングメタル（第２遮光板材に相当）
６Ｃ    光通過領域
７      フレーム部材（位置保持部材に相当）
８      開孔部
８Ａｄ  外側パンチングメタルの特大開孔部（第１遮光板材の最大サイズの開孔部に相当）
８Ｂｄ  内側パンチングメタルの特大開孔部（第２遮光板材の最大サイズの開孔部に相当）
Ｄ      間隔寸法（遮光装置の中心とガラス壁の中心との水平距離に相当）
ｄ      水平幅
Ｈ      下端高さ
Ｒ      太陽の移動領域
Ｘ      開口部の特定位置
【図１】
0006639849.tif 000002
【図２】
0006639849.tif 000003
【図３】
0006639849.tif 000004
【図４】
0006639849.tif 000005
【図５】
0006639849.tif 000006
【図６】
0006639849.tif 000007